(57)【要約】【課題】施設等に設置される椅子において、座り心地を良好にするとともに椅子および接触物に対する衝撃を緩和することができる椅子を提供する。【解決手段】利用者が着座する座体３を備え、前記座体３は、座フレームおよび座クッションを含む座本体と、前記座本体を被覆する座表皮材１１と、を備え、前記座表皮材１１は、前記座体３における上方を向く着座面３ｂを被覆面として覆い、被覆面と交差する方向の荷重を受けて変形可能な第一の層１３ａを有する第一の被覆材１３と、前記座本体における少なくとも外側面３ｄを被覆面として覆い、前記第一の層１３ａに比して被覆面と交差する方向の荷重による変形を抑えた第二の層１４ａを有する第二の被覆材１４と、を備えている。【選択図】図１
2018068841.tif 000002
【特許請求の範囲】
【請求項１】
利用者が着座する座体を備え、
前記座体は、座フレームおよび座クッションを含む座本体と、前記座本体を被覆する座表皮材と、を備え、
前記座表皮材は、前記座体における上方を向く着座面を被覆面として覆い、被覆面と交差する方向の荷重を受けて変形可能な第一の層を有する第一の被覆材と、前記座本体における少なくとも外側面を被覆面として覆い、前記第一の層に比して被覆面と交差する方向の荷重による変形を抑えた第二の層を有する第二の被覆材と、を備えている、椅子。
【請求項２】
前記座体の後部上方に立ち上がる背凭れを備え、
前記背凭れは、背フレームおよび背クッションを含む背凭れ本体と、前記背凭れ本体を被覆する背表皮材と、を備え、
前記背表皮材は、前記背凭れ本体における前方を向く背凭れ面を被覆面として覆う前記第一の被覆材と、前記背凭れ本体における外側方を向く背凭れ側面を被覆面として覆う前記第二の被覆材と、を備えている、請求項１に記載の椅子。
【請求項３】
前記背凭れ本体における後方を向く背凭れ後面は、前記第二の被覆材で覆われている、請求項２に記載の椅子。
【発明の詳細な説明】
【技術分野】
【０００１】
本発明は、ソファやベンチ等の椅子に関する。
【背景技術】
【０００２】
役所、金融機関、病院、駅、空港等の待合室において、複数の利用者が横方向に並んで着座できるベンチ型の椅子が使用されている（例えば特許文献１参照）。
このような椅子は、有効空間内での設置効率を考慮し、複数人が着座できるサイズのものが、椅子の奥行方向（前後方向）に複数並んで設置され、椅子同士の間の空間を通路として運用することが一般的である。このような椅子の運用にあたっては、椅子同士の間を通って着座するまでに、利用者の足等が椅子の脚部材に当たることによる干渉の防止や、施設稼働時間終了後の清掃時に清掃具が当たることによる損耗の防止という課題がある。
この課題を解決するために、例えば特許文献２に開示される構成を採用することが考えられる。すなわち、椅子を構成する座体の側面に、硬質の素材からなるカバーを固定することである。
【先行技術文献】
【特許文献】
【０００３】
【特許文献１】特許第５４８３４１５号公報
【特許文献２】実公平０５−０３７７９９号公報
【発明の概要】
【発明が解決しようとする課題】
【０００４】
上記引用文献２のような構成を採用することにより、カバー自体の硬度によって外的衝撃から椅子自体を防護することができる。他方、カバーに当たった利用者は意図せぬ硬さを感じてしまうため、不特定多数の利用者が用いる施設用の椅子の防護手段としては課題がある。また、防護性を高める観点でカバーを大型化した場合、着座者の身体が接触することがあり、着座者の違和感を招来する等、座り心地に影響するという課題がある。
【０００５】
本願発明は、上記の技術的課題に鑑みてなされたもので、施設等に設置される椅子において、座り心地を良好にするとともに椅子および接触物に対する衝撃を緩和することができる椅子を提供する。
【課題を解決するための手段】
【０００６】
上記課題の解決手段として、本発明は、利用者が着座する座体を備え、前記座体は、座フレームおよび座クッションを含む座本体と、前記座本体を被覆する座表皮材と、を備え、前記座表皮材は、前記座体における上方を向く着座面を被覆面として覆い、被覆面と交差する方向の荷重を受けて変形可能な第一の層を有する第一の被覆材と、前記座本体における少なくとも外側面を被覆面として覆い、前記第一の層に比して被覆面と交差する方向の荷重による変形を抑えた第二の層を有する第二の被覆材と、を備えている椅子を提供する。
【０００７】
この構成によれば、着座面においては、第一の被覆材が被覆面と交差する方向の荷重を受けて変形可能な第一の層を有することにより、着座者の身体を適度な柔らかさをもって支持することができる。
また、利用者や清掃具が接触しやすい外側面においては、第二の被覆材が被覆面と交差する方向の荷重による変形を抑えた第二の層を有することで、座体の防護性を高めることができる。特に、座体の外側面は、表皮材の一部で防護性を高められるので、硬質のカバーを用いる場合に比して、利用者の身体が当たったときの違和感を抑え、かつ利用者および椅子に対する衝撃を抑えることができる。したがって、第二の被覆材で座体の防護性を確保し、かつ着座者への影響も軽微な椅子とすることができる。
このように、二種類の被覆材を適所に配置することで、座り心地を良好にするとともに椅子および接触物に対する衝撃を緩和することができる。また、第一の被覆材と第二の被覆材とで色等を変えることで、椅子に外観上の変化を与えることもできる。
特に、不特定多数の利用者により利用される施設に設置される椅子において、椅子自体の外的衝撃による損耗を防止しつつ、利用者や清掃具による衝突に際しての衝撃も小さくすることによって、長期的な利用に堪えうる椅子を提供することができる。
【０００８】
本発明において、前記座体の後部上方に立ち上がる背凭れを備え、前記背凭れは、背フレームおよび背クッションを含む背凭れ本体と、前記背凭れ本体を被覆する背表皮材と、を備え、前記背表皮材は、前記背凭れ本体における前方を向く背凭れ面を被覆面として覆う前記第一の被覆材と、前記背凭れ本体における外側方を向く背凭れ側面を被覆面として覆う前記第二の被覆材と、を備えている構成としてもよい。
この場合、背凭れ面においては、第一の被覆材が被覆面と交差する方向の荷重を受けて変形可能な第一の層を有することにより、着座者の身体を適度な柔らかさをもって支持することができる。
また、背凭れ側面においては、第二の被覆材が被覆面と交差する方向の荷重による変形を抑えた第二の層を有することで、背凭れの防護性を高めることができる。特に、背凭れ側面は、表皮材の一部で防護性を高められるので、硬質のカバーを用いる場合に比して、利用者の身体が当たったときの違和感を抑えることができる。したがって、第二の被覆材で背凭れの防護性を確保し、かつ着座者への影響も軽微な椅子とすることができる。
このように、二種類の被覆材を適所に配置することで、座り心地を良好にするとともに椅子および接触物に対する衝撃を緩和することができる。また、第一の被覆材と第二の被覆材とで色等を変えることで、椅子に外観上の変化を与えることもできる。
【０００９】
本発明において、前記背凭れ本体における後方を向く背凭れ後面は、前記第二の被覆材で覆われている構成としてもよい。
この場合、背凭れ後面においては、第二の被覆材が被覆面と交差する方向の荷重による変形を抑えた第二の層を有することで、背凭れの防護性を高めることができる。特に、背凭れ後面は、表皮材の一部で防護性を高められるので、硬質のカバーを用いる場合に比して、利用者の身体が当たったときの違和感を抑えることができる。したがって、第二の被覆材で背凭れの防護性を確保し、かつ着座者への影響も軽微な椅子とすることができる。
【発明の効果】
【００１０】
本発明によれば、施設等に設置される椅子において、座り心地を良好にするとともに椅子および接触物に対する衝撃を緩和することができる。
【図面の簡単な説明】
【００１１】
【図１】本発明の一実施形態に係る椅子の前上方からの斜視図である。
【図２】上記椅子の後上方からの斜視図である。
【図３】上記椅子の前面図である。
【図４】上記椅子の上面図である。
【図５】上記椅子の側面図である。
【図６】上記椅子を前後に複数並べた状態の上面図である。
【図７】上記椅子を前後に複数並べて互いに接触させた状態の側面図である。
【図８】図４のＶＩＩＩ−ＶＩＩＩ断面図である。
【図９】座フレームおよび背フレームならびに脚部材を示す分解斜視図である。
【図１０】上記実施形態の第一の変形例を示す斜視図である。
【図１１】上記実施形態の第二の変形例を示す斜視図である。
【発明を実施するための形態】
【００１２】
以下、本発明の一実施形態を図面に基づいて説明する。
本実施形態の椅子１は、役所、金融機関、病院、駅、空港等の待合室に設置されるベンチシートである。なお、以下の説明において、前後左右等の向きは、特に記載がなければ、椅子１に正規姿勢で着座した着座者から見た向きと同一とする。本実施形態において、椅子１の幅方向とは椅子１の左右方向を意味し、奥行方向とは椅子１の前後方向を意味する。また、以下の説明に用いる図中適所には、前方を示す矢印ＦＲ、上方を示す矢印ＵＰ、左方を示す矢印ＬＨが示されている。
【００１３】
図１、図２に示すように、本実施形態の椅子１は、複数の利用者が幅方向に並んで着座可能な座体３を含む椅子本体２と、前記椅子本体２を床面Ｆ上に支持する脚体１５と、を備えている。
椅子本体２は、幅方向に並ぶ複数の着座位置を形成する座体３と、座体３の後部上方に立ち上がる背凭れ４と、を一体に備えている。
【００１４】
図８、図９を併せて参照し、座体３は、例えば木製または金属製の座フレーム５と、座フレーム５の上面および前端面に被さる座クッション７と、を含む座本体３ａを備えている。また、座体３は、座本体３ａを被覆する座表皮材１１を備えている。座体３（および座フレーム５）は、幅方向に長く前後方向に短い平面視略矩形状をなし、上下厚さを抑えた偏平状に形成されている。
【００１５】
座フレーム５は、床面Ｆと平行に配置される底板５ａと、底板５ａの上方に隙間を空けて配置される上板５ｂと、底板５ａと上板５ｂとの間に設けられる支持材５ｃと、を一体に備えている。底板５ａの下面（座体３の下面３ｇ）には、脚体１５における後述する連結板１９が固定されている。
座クッション７は、例えばウレタンフォーム材等、適宜のクッション材からなる。
座表皮材１１は、皮革、布、ビニール系素材等からなり、座クッション７および座フレーム５の少なくとも上方、前方および幅方向両側方を覆うように設けられている。
【００１６】
図４に示すように、座体３の前端部は、幅方向内側の中間部が幅方向と平行をなすように平面視で直線状に形成されるのに対し、幅方向外側の両側部が外側ほど後側に位置するように平面視で湾曲または傾斜して形成されている。以下、座体３の前端部の幅方向外側の湾曲部を座外側湾曲部３ｈとする。
【００１７】
図１、図２に示すように、座体３（座本体３ａ）は、上方を向く着座面３ｂを形成するとともに、前面３ｃ、幅方向外側の両外側面３ｄおよび後面３ｅを含んで、略一定の上下幅を有して平面視の外縁を周回する外周面３ｆを形成している。なお、座体３の前面３ｃは、下側ほど後方に位置するように傾斜している。これにより、利用者が着座状態から立ち上がる際に足を座体３下方へ引いても、座体３の前端部が脹脛に干渉し難い。
【００１８】
ここで、座表皮材１１は、被覆面と交差する方向の荷重を受けて変形可能な第一の層１３ａを有する第一の被覆材１３と、前記第一の被覆材１３に比して前記第一の方向の伸縮を抑えるとともに、第一の層１３ａに比して被覆面と交差する方向の荷重による変形を抑えた第二の層１４ａを有する第二の被覆材１４と、の二種類に分けられる。第一の層１３ａおよび第二の層１４ａは、例えばＰＶＣ（塩化ビニル樹脂）製のビニールレザーからなり、第一の層１３ａは気泡を含む発泡シートで構成され、第二の層１４ａは気泡を含まない中実シートで構成される。なお、第一の被覆材１３は、一部を第一の層１３ａとする構成に限らず、全体を第一の層１３ａとする構成でもよい。同様に、第二の被覆材１４は、一部を第二の層１４ａとする構成に限らず、全体を第二の層１４ａとする構成でもよい。
【００１９】
第一の層１３ａは、発泡層である第一の層１３ａがあることによって相対的に密度が小となるため、被覆面に交差する方向の荷重に対しての圧縮変形や被覆面に沿う方向への伸びが容易となる。しかし、物品との衝突等による局所的な衝撃に対しては、前記圧縮変形や伸びが容易であるため、被覆した構造材に対して伸びた状態で圧接するケースが増えて、第一の被覆材１３の破損が発生しやすく、被覆物への衝撃伝達もされやすい。
一方、第二の層１４ａは発泡層が無いので、第一の層１３ａに比して前記圧縮変形や伸びがし難く、被覆物や接触物の形状に追従して変形するものの、第二の層１４ａの厚みがそのまま荷重に対して突っ張る層となり、第二の被覆材１４の破損が発生し難く、被覆物の防護性も高い。
なお、第一の被覆材１３は、一般的な織物や編物からなる張材としてもよい。この場合、繊維や糸自体の伸縮、および編組織や織組織の変形が発生するため、伸縮がし易い。
【００２０】
座フレーム５および座クッション７を含む座本体３ａにおいて、座本体３ａの上面である着座面３ｂは第一の被覆材１３で覆われ、座本体３ａの前面３ｃ、幅方向外側の両外側面３ｄ、後面３ｅを含む外周面３ｆは第二の被覆材１４で覆われている。なお、座本体３ａの下面３ｇを被覆材で覆う場合、外周面３ｆと同様に第二の被覆材１４を用いると、座本体３ａの下面３ｇを形成する底板５ａが、防護性の高い第二の層１４ａで覆われるため好ましい。
【００２１】
図８、図９を併せて参照し、背凭れ４は、例えば木製または金属製の背フレーム６と、背フレーム６の前面および上端面に被さる背クッション８と、を含む背凭れ本体４ａを備えている。また、背凭れ４は、背凭れ本体４ａを被覆する背表皮材１２を備えている。背凭れ４（および背フレーム６）は、座体３の後部から上方に向かって立ち上がる。背凭れ４は、上側ほど後側に位置するように後傾している。背凭れ４は、幅方向に長く上下方向に短い正面視略矩形状をなし、前後厚さを抑えた偏平状に形成されている。
【００２２】
背フレーム６は、座フレーム５の後端部から上方に向かって延びる背面板６ａと、背面板６ａの前方に隙間を空けて配置される前面板６ｂと、背面板６ａと前面板６ｂとの間に設けられる支持材６ｃと、を一体に備えている。
背クッション８は、例えばウレタンフォーム材等、適宜のクッション材からなる。
背表皮材１２は、皮革、布、ビニール系素材等からなり、背クッション８および背フレーム６の少なくとも前方、後方、上方および幅方向両側方を覆うように設けられている。
【００２３】
背フレーム６と座フレーム５とは互いに一体化されている。なお、例えば背フレーム６と座フレーム５とが互いに別体であってもよい。また、背クッション８および座クッション７も互いに一体化されているが、これらが互いに別体であってもよい。さらに、背凭れ４がリクライニング可能な構成であってもよい。
【００２４】
なお、本実施形態では、座体３の後部の上方に背凭れ４が起立するものとして説明するが、座体３の後方に背凭れ４の下部が位置するものとみなすこともできる。すなわち、本実施形態では、座体３と背凭れ４との接続部分は座体３の後部であるが、前記接続部分が背凭れ４の下部とみなすこともできる。
また、図３〜図５に鎖線で示すように、座体３上の着座位置を区画するように肘掛け９を設けてもよい。
【００２５】
図４に示すように、背凭れ４の背面部は、幅方向内側の中間部が幅方向と平行をなすように平面視で直線状に形成されるのに対し、幅方向外側の両側部が外側ほど前側に位置するように平面視で湾曲または傾斜して形成されている。以下、背凭れ４の背面部の幅方向外側の湾曲部を背外側湾曲部４ｈとする。背外側湾曲部４ｈの下端は、座体３の下端まで至り、座体３の後面部の幅方向外側も同様に切り欠いている。
【００２６】
図６を併せて参照し、背外側湾曲部４ｈは、座外側湾曲部３ｈに対して、幅方向の形成範囲が狭い。椅子１を前後方向に複数並べた際、背外側湾曲部４ｈおよび座外側湾曲部３ｈは互いに前後方向で対向し、前後方向に並んだ椅子１の間に形成される通路Ｔを幅方向外側に向けて広げる。
【００２７】
図１、図２に示すように、背凭れ４（背凭れ本体４ａ）は、前方を向く背凭れ面４ｂを形成するとともに、上面４ｃ、幅方向外側の両外側面４ｄおよび後面４ｅを形成している。なお、背凭れ４の両外側面４ｄの上部は、上側ほど幅方向内側に位置するように正面視で傾斜している。
【００２８】
背フレーム６および背クッション８を含む背凭れ本体４ａにおいて、背凭れ本体４ａの前面である背凭れ面４ｂ、上面４ｃ、幅方向外側の両外側面４ｄの上半部、後面４ｅの上半部は、第一の被覆材１３で覆われ、両外側面４ｄの下半部、後面４ｅの下半部は、第二の被覆材１４で覆われている。外側面４ｄおよび後面４ｅにおける第一の被覆材１３および第二の被覆材１４の切り替え位置は、互いに同一高さとされている。
【００２９】
図６に示すように、椅子１は、例えば病院の待合室等で、前後方向に間隔を空けて複数並べられて設置される。このとき、前後方向に整列した複数の椅子１間の空間は、それぞれ利用者が通過可能な通路Ｔとなる。この通路Ｔは、前記座外側湾曲部３ｈおよび前記背外側湾曲部４ｈによって幅方向外側が開放側に向けて広がるので、利用者が出入りしやすく、幅方向内側の着座位置へのアクセス性を高める。
【００３０】
図３〜図５に示すように、脚体１５は、幅方向に並ぶ複数の脚部材１６によって椅子本体２を支持する。複数の脚部材１６は、座体３の幅方向外側の下方に位置する一対の外側脚部材１６ａで構成されている。なお、図３に鎖線で示すように、一対の外側脚部材１６ａの間に別途の脚部材１６を有してもよい。
【００３１】
各脚部材１６（外側脚部材１６ａ）は、座体３の下面３ｇの前後中間部（第一の部位３ｇ１）に上端が連結されるとともに下端が前接地部２５に至る前脚杆１７と、座体３の下面３ｇの後端部（第一の部位３ｇ１から後方に離間した第二の部位３ｇ２）に上端が連結されるとともに下端が後接地部２６に至る後脚杆１８と、で構成されている。前後脚杆１７，１８の各々は、例えば丸鋼管を用いて形成されている。前後脚杆１７，１８の各下端には、前後接地部２５，２６を形成する例えば樹脂製の接地パッドが取り付けられている。各脚部材１６において、前接地部２５および後接地部２６は、椅子本体２の下方で互いに奥行方向に離間している。
【００３２】
図９を併せて参照し、前後脚杆１７，１８の上端は、座体３の下面３ｇに沿う連結板１９を介して互いに一体に連結されている。連結板１９は、平面視矩形状をなし、長辺方向を前後方向に対して後側が幅方向内側に位置するように傾斜した方向に沿わせて配置されている。連結板１９の前部および後部の下面には、それぞれ前後脚杆１７，１８の上端が溶接等により結合されている。連結板１９は、座フレーム５の下面（座体３の下面３ｇ）に当接し、複数のボルトＢにより締結固定されている。連結板１９は、後脚杆１８が前脚杆１７に対して幅方向内側にオフセットしていることに伴い、平面視で傾斜している。
【００３３】
図７に示すように、座体３の着座面３ｂの前後中央位置Ｃ１は、座体３の前端位置Ｐ１および後端位置Ｐ２の間の前後中央位置Ｃ２よりも前方に位置している。
前脚杆１７の上端は、着座面３ｂの前後中央位置Ｃ１よりも後方で座体３の前後中央位置Ｃ２よりも前方に配置されている。また、後脚杆１８の上端は、着座面３ｂの後端位置Ｐ４よりも前方で後端位置Ｐ４に近接または一部重なるように配置されている。
なお、前後脚杆１７，１８の椅子本体２への連結部位としては、例えば座体３の前後面や外側面等も考えられる。また、別途のビーム部材等の中間部材を介して、前後脚杆１７，１８を椅子本体２に連結する構成も有り得る。
【００３４】
椅子１の収納時等、複数の椅子１を奥行方向で互いに接するように前後に並べたとき、前側の椅子１の後接地部２６と後側の椅子１の前接地部２５とは、奥行方向で互いに離間する。もっとも、前後接地部２５，２６は幅方向でオフセットしていれば、複数の椅子１を幅方向の位置を整合させた整列状態で前後に並べたとき、前後接地部２５，２６同士が干渉することはない。
【００３５】
図１、図２、図５を参照し、前脚杆１７は、上端から前下方へ側面視で傾斜して延びる前傾斜部２１と、前傾斜部２１の下端から屈曲して鉛直下方へ延びる前垂下部２３と、を一体に有している。前垂下部２３の下端には、前接地部２５を形成する前接地パッドが取り付けられている。
後脚杆１８は、上端から後下方へ側面視で傾斜して延びる後傾斜部２２と、後傾斜部２２の下端から屈曲して鉛直下方へ延びる後垂下部２４と、を一体に有している。後垂下部２４の下端には、後接地部２６を形成する後接地パッドが取り付けられている。
【００３６】
前後接地部２５，２６の周囲には、側面視で前後垂下部２３，２４と床面Ｆとで直角に区画された空間が形成される。
仮に、前後傾斜部２１，２２が直接に前後接地部２５，２６に至ると、前後接地部２５，２６の周囲には、側面視で前後傾斜部２１，２２と床面Ｆとで鋭角に区画された空間が形成される。この場合、掃除機の吸引ヘッド等が前後接地部２５，２６に近付き難くなってしまう。
【００３７】
これに対し、本実施形態では、掃除機の吸引ヘッド等が前後接地部２５，２６に近付きやすく、前後接地部２５，２６周辺の清掃がしやすい。また、前後傾斜部２１，２２に対して上下幅は小さいものの、床面Ｆから高さを有する前後垂下部２３，２４があること、および前後垂下部２３，２４が互いに離間することでも、前後接地部２５，２６周辺の清掃がしやすくなる。
【００３８】
図３〜図５を参照し、前後脚杆１７，１８は、幅方向に直交する平面に沿うように形成されている。前後脚杆１７，１８は、椅子本体２の幅方向外側端に対して幅方向内側にオフセットしている。さらに、後脚杆１８は、前脚杆１７に対して幅方向内側にオフセットしている。
【００３９】
一対の前接地部２５および一対の後接地部２６は、平面視で椅子本体２の外縁よりも内側に配置されている。
図７を併せて参照し、前接地部２５および後接地部２６は、奥行方向（前後方向）では椅子本体２の前端位置（座体３の前端位置Ｐ１）よりも後方で椅子本体２の後端位置（背凭れ４の後端位置Ｐ３）よりも前方に配置されている。また、前接地部２５および後接地部２６は、幅方向（左右方向）では椅子本体２の外側端（外側面３ｄ，４ｄ）よりも内側に配置されている。これにより、椅子１に利用者等が近づいた際、利用者の足、車椅子のフットレストおよびベビーカーの前輪等、床面Ｆ近くの移動体が前後接地部２５，２６周辺に干渉し難くなる。
【００４０】
前接地部２５は、奥行方向で座体３の前端位置Ｐ１よりも後方かつ着座面３ｂの前後中央位置Ｃ１よりも前方に配置されている。
一方、後接地部２６は、奥行方向で座体３の後端位置Ｐ２よりも後方で後端位置Ｐ２に近接または一部重なり、かつ背凭れ４の後端位置Ｐ４よりも前方に配置されている。後接地部２６を座体３の後端位置Ｐ２を越えて可及的に後方に配置することで、背凭れ４に入力される後方荷重を支持しやすくしている。
【００４１】
前接地部２５は、座体３の着座面３ｂの前後中央位置Ｃ１よりも前方に位置し、後接地部２６は着座面３ｂの前後中央位置Ｃ１よりも後方に位置している。
実施形態における一対の前接地部２５は、幅方向の最外側に位置する一対の前外側接地部２５ａに相当し、実施形態における一対の後接地部２６は、幅方向の最外側に位置する一対の後外側接地部２６ａに相当する。一対の前外側接地部２５ａ間の間隔Ｌ１と一対の後外側接地部２６ａ間の間隔Ｌ２とを比較すると、間隔Ｌ１に対して間隔Ｌ２は狭くされている。
【００４２】
ここで、椅子１の着座面３ｂおよび背凭れ面４ｂは、前記第一の被覆材１３で覆われているので、着座面３ｂおよび背凭れ面４ｂが着座荷重を受けた際、第一の被覆材１３の第一の層１３ａが、被覆面と交差する方向の荷重を受けて変形しやすく、着座者の身体が適度な柔らかさをもって支持される。
また、座体３の外周面３ｆおよび背凭れ４の後面４ｅの下半部においては、前記第二の被覆材１４で覆われているので、利用者や清掃具が接触した際、第二の被覆材１４の第二の層１４ａが、被覆面と交差する方向の荷重による変形を抑え、座体３および背凭れ４の防護性が高まる。
【００４３】
さらに、座表皮材１１および背表皮材１２は、被覆物および接触物の外面形状に追従して変形容易なので、硬質のカバーを用いる場合に比して、利用者の身体が当たったときの違和感が抑えられ、かつ利用者および椅子１に対する衝撃も抑えられる。
このように、二種類の被覆材を適所に切り替えて配置することで、座り心地を良好にするとともに椅子および接触物に対する衝撃を緩和することができる。また、第一の被覆材１３と第二の被覆材１４とで色等を変えることで、椅子に外観上の変化を与えることもできる。
【００４４】
以上説明したように、上記実施形態における椅子１は、利用者が着座する座体３を備え、前記座体３は、座フレーム５および座クッション７を含む座本体３ａと、前記座本体３ａを被覆する座表皮材１１と、を備え、前記座表皮材１１は、前記座体３における上方を向く着座面３ｂを被覆面として覆い、被覆面と交差する方向の荷重を受けて変形可能な第一の層１３ａを有する第一の被覆材１３と、前記座本体３ａにおける平面視の外周側を向く外周面３ｆを被覆面として覆い、前記第一の層１３ａに比して被覆面と交差する方向の荷重による変形を抑えた第二の層１４ａを有する第二の被覆材１４と、を備えている。
【００４５】
この構成によれば、着座面３ｂにおいては、第一の被覆材１３が被覆面と交差する方向の荷重を受けて変形可能な第一の層１３ａを有することにより、着座者の身体を適度な柔らかさをもって支持することができる。
また、利用者や清掃具が接触しやすい外周面３ｆにおいては、第二の被覆材１４が被覆面と交差する方向の荷重による変形を抑えた第二の層１４ａを有することで、座体３の防護性を高めることができる。特に、座体３の外側面３ｄは、座表皮材１１の一部で防護性を高められるので、硬質のカバーを用いる場合に比して、利用者の身体が当たったときの違和感を抑え、かつ利用者および椅子１に対する衝撃を抑えることができる。したがって、第二の被覆材１４で椅子１の防護性を確保し、かつ着座者への影響も軽微な椅子とすることができる。
このように、二種類の被覆材を適所に配置することで、座り心地を良好にするとともに椅子および接触物に対する衝撃を緩和することができる。また、第一の被覆材１３と第二の被覆材１４とで色等を変えることで、椅子に外観上の変化を与えることもできる。
特に、不特定多数の利用者により利用される施設に設置される椅子１において、椅子１自体の外的衝撃による損耗を防止しつつ、利用者や清掃具による衝突に際しての衝撃も小さくすることによって、長期的な利用に堪えうる椅子１を提供することができる。
【００４６】
上記実施形態における椅子１は、前記座体３の後部上方に立ち上がる背凭れ４を備え、前記背凭れ４は、背フレーム６および背クッション８を含む背凭れ本体４ａと、前記背凭れ本体４ａを被覆する背表皮材１２と、を備え、前記背表皮材１２は、前記背凭れ本体４ａにおける前方を向く背凭れ面４ｂを被覆面として覆う前記第一の被覆材１３と、前記背凭れ本体４ａにおける外側方を向く背凭れ側面４ｄを被覆面として覆う前記第二の被覆材１４と、を備えている。
【００４７】
この構成によれば、背凭れ面４ｂにおいては、第一の被覆材１３が被覆面と交差する方向の荷重を受けて変形可能な第一の層１３ａを有することにより、着座者の身体を適度な柔らかさをもって支持することができる。
また、背凭れ側面４ｄにおいては、第二の被覆材１４が被覆面と交差する方向の荷重による変形を抑えた第二の層１４ａを有することで、背凭れ４の防護性を高めることができる。特に、背凭れ側面４ｄは、背表皮材１２の一部で防護性を高められるので、硬質のカバーを用いる場合に比して、利用者の身体が当たったときの違和感を抑えることができる。したがって、第二の被覆材１４で背凭れ４の防護性を確保し、かつ着座者への影響も軽微な椅子とすることができる。
このように、二種類の被覆材を適所に配置することで、座り心地を良好にするとともに椅子および接触物に対する衝撃を緩和することができる。また、第一の被覆材１３と第二の被覆材１４とで色等を変えることで、椅子に外観上の変化を与えることもできる。
【００４８】
上記実施形態における椅子１は、前記背凭れ本体４ａにおける後方を向く背凭れ後面４ｅは、前記第二の被覆材１４で覆われている。
この構成によれば、背凭れ後面４ｅにおいては、第二の被覆材１４が被覆面と交差する方向の荷重による変形を抑えた第二の層１４ａを有することで、背凭れ４の防護性を高めることができる。特に、背凭れ後面４ｅは、背表皮材１２の一部で防護性を高められるので、硬質のカバーを用いる場合に比して、利用者の身体が当たったときの違和感を抑えることができる。したがって、第二の被覆材１４で背凭れ４の防護性を確保し、かつ着座者への影響も軽微な椅子とすることができる。
【００４９】
なお、本発明は上記実施形態に限られるものではなく、本発明の要旨を逸脱しない範囲で種々の変更が可能である。
図１０は、実施形態の変形例として、背凭れ４を無くした椅子３１を示す。この場合も、椅子３１の着座面３ｂは、前記第一の被覆材１３で覆われているので、着座面３ｂが着座荷重を受けた際、第一の被覆材１３が被覆面と交差する方向の荷重を受けて変形可能な第一の層１３ａを有することにより、着座者の身体を適度な柔らかさをもって支持することができる。
また、利用者や清掃具が接触しやすい外周面３ｆにおいては、第二の被覆材１４が被覆面と交差する方向の荷重による変形を抑えた第二の層１４ａを有することで、座体３の防護性を高めることができる。
椅子３１の前後方向の向きは、座体３の幅方向両側の面取り形状や表皮材の模様、クッションの形状等で認識可能としてもよいが、前後接地部２５，２６間の間隔の違いで椅子３１の前後方向の向きを認識可能としてもよい。
【００５０】
図１１は、実施形態の他の変形例として、座本体３ａの前面３ｃを第二の被覆材１４ではなく第一の被覆材１３で覆った椅子１’を示す。この場合、座体３の前面３ｃに利用者の脹脛が接触しても柔らかい感触を与えることができる。なお、座体３の後面３ｅも第一の被覆材１３で覆ってもよい。すなわち、座体３における少なくとも他と接触しやすい外側面３ｄを第二の被覆材１４で覆えばよい。しかし、座体３の前面３ｃが第一の被覆材１３で覆われ、座体３の後面３ｅが第二の被覆材１４で覆われる構成であれば、第一の被覆材１３と第二の被覆材１４とで色等を変えることで、背凭れのない椅子でも前後方向の向きを認識しやすくなる。
【符号の説明】
【００５１】
１，１’，３１  椅子
３  座体
３ａ  座本体
３ｂ  着座面
３ｄ  外側面
４  背凭れ
４ａ  背凭れ本体
４ｂ  背凭れ面
４ｄ  外側面（背凭れ側面）
４ｅ  背凭れ後面
５  座フレーム
６  背フレーム
７  座クッション
８  背クッション
１１  座表皮材
１２  背表皮材
１３  第一の被覆材
１３ａ  第一の層
１４  第二の被覆材
１４ａ  第二の層
【図１】
2018068841.tif 000003
【図２】
2018068841.tif 000004
【図３】
2018068841.tif 000005
【図４】
2018068841.tif 000006
【図５】
2018068841.tif 000007
【図６】
2018068841.tif 000008
【図７】
2018068841.tif 000009
【図８】
2018068841.tif 000010
【図９】
2018068841.tif 000011
【図１０】
2018068841.tif 000012
【図１１】
2018068841.tif 000013